(57)【要約】  開示されているのは、ＴＰとＬＣＤとの間の気泡を排出して、接着の間にそれらの間に相対運動が生じることを防止するように、接着を制御するためのシステム、方法、および装置である。接着を制御するためのシステムは、制御モジュール、接着ローラ、および制限装置を含んでいる。制御モジュールは、接着ローラの第１の移動速度と制限装置の第２の移動速度とを決定するように構成されている。接着ローラは、第１の方向に沿ってＴＰの一方の側から他方の側へ第１の移動速度で回転するように構成されている。制限装置は、第２の方向に沿って第２の移動速度で移動して、ＴＰがＬＣＤに対して移動することを制限するように構成されている。本開示の技術的解決法は、ＴＰとＬＣＤとの間の気泡を排出しても良く、その結果、光学的接着プロセスの接着速度が上がり、ＴＰとＬＣＤとの間の相対運動が防止され、接着精度が保証される。【選択図】図１Ａ
2017516249.tif 000002
【特許請求の範囲】
【請求項１】
接着を制御するためのシステムであって、制御モジュール、接着ローラ、および制限装置を含み、
前記制御モジュールは、前記接着ローラの第１の移動速度と前記制限装置の第２の移動速度とを決定するように構成され、
前記接着ローラは、第１の方向に沿ってＴＰの一方の側から他方の側へ前記第１の移動速度で回転するように構成され、
前記制限装置は、第２の方向に沿って前記第２の移動速度で移動し、前記ＴＰがＬＣＤに対して移動することを制限するように構成されているシステム。
【請求項２】
前記制限装置は、
前記ＴＰが前記ＬＣＤに対して移動することを制限するように構成された制限部分と、
支持面を水平面に対して所定の角度で有する支持部分であって、前記ＬＣＤは前記支持面上に支持される支持部分と、を含み、
前記制限装置は、前記第２の方向に沿って前記第２の移動速度で移動して前記支持面と前記ＬＣＤとが前記所定の角度から水平になることを可能にする請求項１に記載のシステム。
【請求項３】
前記制御モジュールは、
前記所定の角度を取得するように構成された取得サブモジュールと、
前記所定の角度の正弦値に従って、前記接着ローラが前記第１の移動速度で移動するように、また前記制限装置が前記第２の移動速度で移動するように制御するように構成された速度制御サブモジュールと、を含む請求項２に記載のシステム。
【請求項４】
前記第１の移動速度と前記第２の移動速度とは、次式、
Ｖ２／Ｖ１＝ｓｉｎα
を満たし、
Ｖ１は前記第１の移動速度を表わし、Ｖ２は前記第２の移動速度を表わし、αは前記所定の角度を表わす、請求項３に記載のシステム。
【請求項５】
空気圧調整バルブであって、前記接着ローラの２つの軸端に力を印加して、前記接着ローラによって前記ＴＰに垂直な方向に沿って印加される力を、前記制御モジュールの制御下で調整するように構成された空気圧調整バルブをさらに含む請求項１に記載のシステム。
【請求項６】
接着を制御するための方法であって、
接着ローラの第１の移動速度と制限装置の第２の移動速度とを決定することと、
前記接着ローラを第１の方向に沿ってＴＰの一方の側から他方の側へ前記第１の移動速度で回転するように制御することと、
前記ＴＰがＬＣＤに対して移動することを制限装置によって制限し、前記制限装置を第２の方向に沿って前記第２の移動速度で移動するように制御することと、を含む方法。
【請求項７】
前記ＴＰがＬＣＤに対して移動することを制限装置によって制限し、前記制限装置を、第２の方向に沿って前記第２の移動速度で移動するように制御することは、
前記ＴＰが前記ＬＣＤに対して移動することを前記制限装置の制限部分によって制限することと、
前記制限装置を前記第２の方向に沿って前記第２の移動速度で移動するように制御することであって、前記制限装置は支持面を水平面に対して所定の角度で有し、前記ＬＣＤは前記支持面上に支持され、前記支持面と前記ＬＣＤとが前記所定の角度から水平になることを可能にする、制御することと、を含む請求項６に記載の方法。
【請求項８】
接着ローラの第１の移動速度と制限装置の第２の移動速度とを決定することは、前記所定の角度を取得することと、前記所定の角度の正弦値に従って、前記接着ローラを前記第１の移動速度で移動するように、また前記制限装置が前記第２の移動速度で移動するように制御することと、を含む請求項７に記載の方法。
【請求項９】
前記第１の移動速度と前記第２の移動速度とは、次式、
Ｖ２／Ｖ１＝ｓｉｎα
を満たし、
Ｖ１は前記第１の移動速度を表わし、Ｖ２は前記第２の移動速度を表わし、αは前記所定の角度を表わす、請求項８に記載のシステム。
【請求項１０】
前記接着ローラの２つの軸端に空気圧調整バルブによって力を印加することと、
前記接着ローラによって前記ＴＰに垂直な方向に沿って印加される力を調整することと、をさらに含む請求項６に記載の方法。
【請求項１１】
接着を制御するための装置であって、
プロセッサと、
前記プロセッサによって実行可能な命令を記憶するためのメモリと、
接着ローラの第１の移動速度と制限装置の第２の移動速度とを決定するように構成された制御モジュールと、を含む装置。
【発明の詳細な説明】
【技術分野】
【０００１】
本出願は、中国特許出願第２０１５１０１４６１７９．６号（２０１５年３月３０日に出願）に基づいており、それに対する優先権を主張する。なおこの文献の内容全体は本明細書において参照により取り入れられている。
【０００２】
本開示は、全般的に電子製品製造技術の分野に関し、より詳細には、接着を制御するためのシステム、方法、および装置に関する。
【背景技術】
【０００３】
スマートフォン用のディスプレイの光学特性に対する要求が高まるとともに、タッチパネル（ＴＰ）と液晶ディスプレイ（ＬＣＤ）とを光学的接着プロセスによって接着させることがますます一般的になっている。従来技術では、ＴＰの表示領域（ＶＡ）をＬＣＤのアクティブ領域（ＡＡ）に位置合わせした後で、ＬＣＤを保持するための機械を静止させた状態で、ＴＰに光学透明接着剤（ＯＣＡ）を接着させたものを、メカニカルハンドによってＬＣＤの上方まで移動させる。ＴＰとＬＣＤとの間の接着は、真空の金属キャビティ内で行なう。
【発明の概要】
【発明が解決しようとする課題】
【０００４】
真空の金属キャビティ内でＴＰをＬＣＤに接着させる間、ＴＰは固定装置によって固定されてはいないため、真空状態でＴＰとＬＣＤとの間の相対運動がＸまたはＹ方向に沿って起こる。さらに、ＴＰとＬＣＤとの間の気泡を完全に排出するために、金属キャビティを真空になるためのある程度の付加時間が必要になるため、生産性が低くなる。
【課題を解決するための手段】
【０００５】
従来技術に存在する問題を打開するために、本開示によって、実施形態において、ＴＰとＬＣＤとの間の気泡を効果的に排出することによって、接着の間にＴＰとＬＣＤとの間に相対運動が生じることを防止するように、接着を制御するためのシステム、方法、および装置が提供される。
【０００６】
本開示の実施形態の第１の態様により、接着を制御するためのシステムが提供される。タッチパネル（ＴＰ）を液晶ディスプレイ（ＬＣＤ）に接着させることを、光学透明接着剤（ＯＣＡ）を用いて所定の接着角度で行なう。接着を制御するためのシステムは、制御モジュール、接着ローラ、および制限装置を含んでいる。
【０００７】
制御モジュールは、接着ローラの第１の移動速度と制限装置の第２の移動速度とを決定するように構成されている。
【０００８】
接着ローラは、第１の方向に沿ってＴＰの一方の側から他方の側へ第１の移動速度で回転するように構成されている。
【０００９】
制限装置は、第２の方向に沿って第２の移動速度で移動して、ＴＰがＬＣＤに対して移動することを制限するように構成されている。
【００１０】
一実施形態では、制限装置は、ＴＰがＬＣＤに対して移動することを制限するように構成された制限部分と、支持面を水平面に対して所定の角度で有する支持部分であって、ＬＣＤは支持面上に支持される支持部分と、を含み、制限装置は第２の方向に沿って第２の移動速度で移動して支持面とＬＣＤとが所定の角度から水平になることを可能にしても良い。
【００１１】
一実施形態では、制御モジュールは、水平面に対する所定の角度を取得するように構成された取得サブモジュールと、所定の角度の正弦値に従って、接着ローラを第１の移動速度で移動するように、また制限装置を第２の移動速度で移動するように制御するように構成された速度制御サブモジュールと、を含む。
【００１２】
一実施形態では、第１の移動速度と第２の移動速度とは、次式Ｖ２／Ｖ１＝ｓｉｎα（Ｖ１は第１の移動速度を表わし、Ｖ２は第２の移動速度を表わし、αは所定の角度を表わす）を満足する。
【００１３】
一実施形態では、システムはさらに、空気圧調整バルブであって、接着ローラの２つの軸端に力を印加して、接着ローラによってＴＰに垂直な方向に沿って印加される力を、制御モジュールの制御下で調整するように構成された空気圧調整バルブを含んでいても良い。
【００１４】
本開示の実施形態の第２の態様により、接着を制御するための方法が提供される。タッチパネル（ＴＰ）を液晶ディスプレイ（ＬＣＤ）に接着させることを、光学透明接着剤（ＯＣＡ）を用いて所定の接着角度で行なう。本方法は、接着ローラの第１の移動速度と制限装置の第２の移動速度とを決定することと、接着ローラを第１の方向に沿ってＴＰの一方の側から他方の側へ第１の移動速度で回転するように制御することと、ＴＰが液晶ディスプレイ（ＬＣＤ）に対して移動することを制限装置によって制限して、制限装置を第２の方向に沿って第２の移動速度で移動するように制御することと、を含んでいても良い。
【００１５】
一実施形態では、ＴＰがＬＣＤに対して移動することを制限装置によって制限して、制限装置を第２の方向に沿って第２の移動速度で移動するように制御することは、ＴＰがＬＣＤに対して移動することを制限装置の制限部分によって制限することと、制限装置を第２の方向に沿って第２の移動速度で移動するように制御することであって、制限装置は支持面を水平面に対して所定の角度で有し、ＬＣＤは支持面上に支持され、支持面とＬＣＤとが所定の角度から水平になることを可能にする、制御することと、を含んでいても良い。
【００１６】
一実施形態では、接着ローラの第１の移動速度と制限装置の第２の移動速度とを決定することは、所定の角度を取得することと、所定の角度の正弦値に従って、接着ローラを第１の移動速度で移動するように、また制限装置を第２の移動速度で移動するように制御することと、を含んでいても良い。
【００１７】
一実施形態では、第１の移動速度と第２の移動速度とは、次式Ｖ２／Ｖ１＝ｓｉｎα（Ｖ１は前記第１の移動速度を表わし、Ｖ２は前記第２の移動速度を表わし、αは前記所定の角度を表わす）を満足する。
【００１８】
一実施形態では、本方法はさらに、接着ローラの２つの軸端に力を空気圧調整バルブによって印加することと、接着ローラによってＴＰに垂直な方向に沿って印加される力を調整することと、を含んでいても良い。
【００１９】
本開示の実施形態の第３の態様により、接着を制御するための装置が提供される。装置は、プロセッサと、プロセッサによって実行可能な命令を記憶するためのメモリと、接着ローラの第１の移動速度と制限装置の第２の移動速度とを決定するように構成された制御モジュールと、を含んでいても良い。
【００２０】
本開示の実施形態により、技術的解決法は以下の優れた効果を有する場合がある。接着ローラを、ＴＰの一方の側から他方の側へ回転させて、ＴＰとＬＣＤとの間の気泡を排出することによって、光学的接着プロセスの接着速度を上げる。ＴＰは接着プロセス全体の間に制限装置によって制限されるため、ＴＰとＬＣＤとの間の相対運動が防止され、接着精度が保証され、その結果、わずかな設備投資の下で接着生産性が大いに向上する。
【００２１】
当然のことながら、前述の概要および以下の詳細な説明は、両方とも単に実例および解説のためであり本開示を限定することはないことは、主張した通りである。
【図面の簡単な説明】
【００２２】
添付図面は、本明細書に取り入れられて本明細書の一部を構成するものであるが、本開示と一致する実施形態を例示し、説明とともに、本開示の原理を説明する役目を果たすものである。
【００２３】
【図１Ａ】例示的な実施形態による接着を制御するためのシステムを示す概略図である。
【図１Ｂ】別の例示的な実施形態による接着を制御するためのシステムを示す概略図である。
【図２Ａ】例示的な実施例による接着を制御するためのシステムを示す概略図である。
【図２Ｂ】別の例示的な実施例による接着を制御するためのシステムを示す概略図である。
【図３】例示的な実施形態による接着を制御するための方法を示すフローチャートである。
【図４】例示的な実施形態による接着の制御に適した装置のブロック図である。
【発明を実施するための形態】
【００２４】
次に例示的な実施形態について詳細に述べる。実施形態の実施例を添付の図面に例示する。以下の説明で参照する添付の図面では、異なる図面における同じ番号は、特に断りのない限り、同じかまたは同様の要素を表わす。以下の例示的な実施形態の説明で述べる実施は、本開示に一致するすべての実施を表しているわけではない。代わりに、それらは単に、添付の請求項に記載するような本開示に関する態様と一致する装置および方法の実施例である。
【００２５】
図１Ａは、例示的な実施形態による接着を制御するためのシステムを示す概略図であり、図１Ｂは、別の例示的な実施形態による接着を制御するためのシステムを示す概略図である。図１Ａおよび１Ｂに示すように、タッチパネル（ＴＰ）１０と液晶ディスプレイ（ＬＣＤ）３０とを位置合わせした後で、ＴＰ１０をメカニカルハンドによってＬＣＤ３０の上方まで移動させても良く、ＴＰ１０をＬＣＤ３０に光学透明接着剤（ＯＣＡ）２０を用いて所定の接着角度で接着させることによって、接着が容易になる。接着を制御するためのシステムは、制御モジュール１１、接着ローラ１２、および制限装置１３を含んでいる。
【００２６】
制御モジュール１１は、接着ローラ１２の第１の移動速度と制限装置１３の第２の移動速度とを決定するように構成されている。
【００２７】
接着ローラ１２は、第１の方向（ＴＰ１０と平行なＶ１の矢印方向で示す）に沿ってＴＰ１０の一方の側から他方の側へ、第１の移動速度Ｖ１で回転するように構成されている。一実施形態では、制御モジュール１１は第１のステッピングモータ（図示せず）の回転速度を制御して、接着ローラ１２を第１の移動速度で回転するように制御する。
【００２８】
制限装置１３は、第２の方向（制限装置１３の側壁に平行なＶ２の矢印方向で示す）に沿って第２の移動速度Ｖ２で移動し、ＴＰ１０がＬＣＤ３０に対して移動することを制限するように構成されている。一実施形態では、制御モジュール１１は、第２のステッピングモータ（図示せず）の回転速度を制御して、制限装置１３を第２の移動速度で移動するように制御する。
【００２９】
本実施形態では、接着ローラ１２を第１の方向に沿ってＴＰ１０の一方の側から他方の側まで回転させて、ＴＰ１０とＬＣＤ３０との間の気泡を排出する結果、光学的接着プロセスの接着速度が向上する。ＴＰ１０は、接着プロセス全体の間に制限装置１３によって制限されるため、ＴＰ１０とＬＣＤ３０との間の相対運動が防止され、接着精度が保証され、その結果わずかな設備投資の下で接着生産性が大いに向上する。
【００３０】
一実施形態では、制限装置は、ＴＰがＬＣＤに対して移動することを制限するように構成された制限部分と、支持面を水平面に対して所定の角度で有する支持部分であって、ＬＣＤは支持面上に支持される、支持部分と、を含み、制限装置は第２の方向に沿って第２の移動速度で移動して支持面とＬＣＤとが所定の角度から水平になることを可能にしても良い。
【００３１】
一実施形態では、制御モジュールは、水平面に対する所定の角度を取得するように構成された取得サブモジュールと、所定の角度の正弦値に従って、接着ローラを第１の移動速度で移動するように、また制限装置を第２の移動速度で移動するように制御するように構成された速度制御サブモジュールと、を含んでいても良い。
【００３２】
一実施形態では、第１の移動速度と第２の移動速度とは、次式Ｖ２／Ｖ１＝ｓｉｎα（Ｖ１は第１の移動速度を表わし、Ｖ２は第２の移動速度を表わし、αは所定の角度を表わす）を満足する。
【００３３】
一実施形態では、システムはさらに、空気圧調整バルブであって、接着ローラの２つの軸端に力を印加して、接着ローラによってＴＰに垂直な方向に沿って印加される力を、制御モジュールの制御下で調整するように構成された空気圧調整バルブを含んでいる。
【００３４】
次に、ＴＰとＬＣＤとをどのように接着させるかについて以下に詳細に述べる。
【００３５】
本開示の実施形態によれば、前述のシステムはＴＰとＬＣＤとの間の気泡を排出しても良く、その結果、光学的接着プロセスの接着速度が向上し、ＴＰとＬＣＤとの接着の間にそれらの間に相対運動が生じることが防止され、接着精度が保証され、その結果、わずかな設備投資の下で接着生産性が大いに向上する。
【００３６】
本開示の実施形態によって提供される技術的解決法を、具体例を用いて以下に例示する。
【００３７】
図２Ａは、例示的な実施例による接着を制御するためのシステムを示す概略図であり、図２Ｂは、別の例示的な実施例による接着を制御するためのシステムを示す概略図である。本実施例は前述の実施形態に基づくものである。図２Ａおよび２Ｂに示すように、制限装置１３は、ＴＰ１０がＬＣＤ３０に対して移動することを制限するように構成された制限部分１３１と、支持面を水平面に対して所定の角度（αで示す）で有する支持部分１３２であって、ＬＣＤは支持面上に支持される、支持部分１３２と、を含み、制限装置１３は第２の方向に沿って第２の移動速度で移動して支持面とＬＣＤとが水平になることを可能にする。
【００３８】
一実施形態では、制御モジュール１１は、水平面に対する所定の角度を取得するように構成された取得サブモジュール１１１と、速度制御サブモジュール１１２であって、取得サブモジュール１１１によって取得された所定の角度の正弦値に従って、接着ローラを第１の移動速度で移動するように、また制限装置を第２の移動速度で移動するように制御するように構成された速度制御サブモジュール１１２と、を含んでいても良い。
【００３９】
一実施形態では、所定の角度（その大きさは本開示の実施例では限定しない）を、ＯＣＡの材料とＴＰ１０およびＬＣＤ３０の厚さとに従って設定しても良い。
【００４０】
一実施形態では、第１の移動速度と第２の移動速度とは、次式Ｖ２／Ｖ１＝ｓｉｎα（Ｖ１は第１の移動速度を表わし、Ｖ２は第２の移動速度を表わし、αは所定の角度を表わす）を満足する。
【００４１】
第１の移動速度Ｖ１と第２の移動速度Ｖ２とを前述の式Ｖ２／Ｖ１＝ｓｉｎαに適合するように調整して、接着ローラ１２が第１の方向（図の右側）に沿ってＴＰ１０の一方の側から他方の側へ回転したときに、ＴＰ１０全体が接着ローラ１２によって均一にローラーされることを確実にする。支持部分１３２の支持面が所定の角度から徐々に水平になった後で、ＴＰ１０とＬＣＤ３０とを接着後に水平に維持することを可能にしても良く、ＴＰ１０とＬＣＤ３０とが外部の異常圧力によって誘発される変形を受けることが防止される場合がある。
【００４２】
一実施形態では、接着を制御するためのシステムはさらに、空気圧調整バルブ１４であって、接着ローラ１２の２つの軸端に力を印加することによって、接着ローラ１２によってＴＰに垂直な方向に沿って印加される力を、制御モジュール１１の制御下で調整するように構成された空気圧調整バルブ１４を含んでいても良い。図２Ａに示すように、接着ローラ１２によってＴＰ１０に垂直な方向に印加される力は、Ｆで示す矢印方向である。接着ローラ１２によってＴＰ１０上に印加される力（Ｆで示す）を、空気圧調整バルブ１４によって調整しても良い。一実施形態では、空気圧調整バルブ１４は、力を調整して、ＴＰ１０に対する変形を誘発することなくＴＰ１０とＬＣＤ３０との間の気泡を排出することができるようにしても良い。
【００４３】
一実施形態では、前述の実施形態の優れた技術的効果に基づいて、支持部分１３２の支持面が所定の角度αから水平になることを可能にして、ＴＰ１０とＬＣＤ３０とを接着後に水平に維持することを可能にしても良く、その結果、ＴＰ１０とＬＣＤ３０とが外部の異常圧力によって誘発される変形を受けることが防止される場合がある。力を空気圧調整バルブ１４によって調整して、ＴＰ１０に対する変形を誘発することなくＴＰ１０とＬＣＤ３０との間の気泡を排出することができるようにしても良い。
【００４４】
さらに、関連する実験データによって実証されているところによれば、本開示の実施形態によって提供されるシステムによって、生産性が１８０〜２００部品／時間まで増加する場合があり、従来技術における７０〜１２０部品／時間のそれと比べて対照的であり、その結果、わずかな設備投資の下で生産性ボトルネックが効果的に打開される。
【００４５】
図３は、例示的な実施形態による接着を制御するための方法を示すフローチャートである。タッチパネル（ＴＰ）を液晶ディスプレイ（ＬＣＤ）に接着させることを、光学透明接着剤（ＯＣＡ）を用いて所定の接着角度で行なう。図３に示すように、本接着を制御するための方法には以下のステップＳ３０１〜Ｓ３０３が含まれる。
【００４６】
ステップＳ３０１では、接着ローラの第１の移動速度と制限装置の第２の移動速度とを決定する。
【００４７】
ステップＳ３０２では、接着ローラを第１の方向に沿ってＴＰの一方の側から他方の側へ第１の移動速度で回転するように制御する。
【００４８】
ステップＳ３０３では、ＴＰがＬＣＤに対して移動することを制限装置によって制限し、制限装置を第２の方向に沿って第２の移動速度で移動するように制御する。
【００４９】
一実施形態では、ステップＳ３０３は、ＴＰがＬＣＤに対して移動することを制限装置の制限部分によって制限することと、制限装置を第２の方向に沿って第２の移動速度で移動するように制御することであって、制限装置は支持面を水平面に対して所定の角度で有し、ＬＣＤは支持面上に支持され、支持面が所定の角度から水平になることを可能にする、制御することと、を含んでいても良い。
【００５０】
一実施形態では、接着ローラの第１の移動速度と制限装置の第２の移動速度とを決定することは、所定の角度を取得することと、所定の角度の正弦値に従って、接着ローラを第１の移動速度で移動するように、また制限装置を第２の移動速度で移動するように制御することと、を含んでいても良い。
【００５１】
一実施形態では、第１の移動速度と第２の移動速度とは、次式Ｖ２／Ｖ１＝ｓｉｎα（Ｖ１は第１の移動速度を表わし、Ｖ２は第２の移動速度を表わし、αは所定の角度を表わす）を満足する。
【００５２】
一実施形態では、本方法はさらに、接着ローラの２つの軸端に力を空気圧調整バルブによって印加することと、接着ローラによってＴＰに垂直な方向に沿って印加される力を調整することと、を含んでいても良い。
【００５３】
前述の実施形態における本方法に対する手順に関して、種々のステップを実行するための特定のモードについては、前述の実施形態における接着を制御するためのシステムに関して詳細に説明しており、ここでは繰り返さない。
【００５４】
図４は、例示的な実施形態によるインテリジェント装置に取り付けたライトの制御に適した装置のブロック図である。たとえば、装置４００はサーバまたは主制御装置として提供しても良い。図４を参照して、装置４００は、処理コンポーネント４２２（さらに１または複数のプロセッサを含む）と、メモリ４３２によって表わされるメモリ資源（処理コンポーネント４２２によって実行可能な命令（たとえば、アプリケーションプログラム）を記憶する）とを含んでいる。メモリ４３２に記憶されたアプリケーションプログラムは、１または複数のモジュール（それぞれ、命令群に対応する）を含んでいても良い。さらに、処理コンポーネント４２２は、命令を実行して、接着ローラの第１の移動速度と制限装置の第２の移動速度とを決定するように構成されている。
【００５５】
装置４００はさらに、電力コンポーネント４２４（装置４００の電力管理を実行するように構成されている）と、１つの有線または無線のネットワークインターフェース４５０（装置４００をネットワークに接続するように構成されている）と、１つの入出力（Ｉ／Ｏ）インターフェース４５８と、を含んでいても良い。装置４００は、メモリ４３２に記憶されたオペレーティングシステム（たとえばＷｉｎｄｏｗｓ（登録商標）Ｓｅｒｖｅｒ、ＭａｃＯＳＸ（登録商標）、Ｕｎｉｘ（登録商標）、Ｌｉｎｕｘ（登録商標）、ＦｒｅｅＢＳＤ（登録商標）、など）に基づいて動作しても良い。
【００５６】
本開示の他の実施形態が、明細書を検討することおよびここで開示した開示内容を実施することから当業者には明らかである。本出願は、本開示の任意の変形、利用、または適合であって、その一般的な原理に従っており、当該技術分野における既知または通例の実施に入るような本開示からの逸脱を含むものに及ぶことが意図されている。明細書および実施例は単に例示的であると考えられることが意図されており、本開示の真の範囲および趣旨は以下の請求項によって示される。
【００５７】
当然のことながら、本開示は、前述し添付図面に例示した正確な構造には限定されず、種々の変更および変形をその範囲から逸脱することなく行なうことができる。本開示の範囲は添付の請求項によっては限定されないことが意図されている。
【図１Ａ】
2017516249.tif 000003
【図１Ｂ】
2017516249.tif 000004
【図２Ａ】
2017516249.tif 000005
【図２Ｂ】
2017516249.tif 000006
【図３】
2017516249.tif 000007
【図４】
2017516249.tif 000008
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
接着を制御するためのシステムであって、制御モジュール、接着ローラ、および制限装置を含み、
前記制御モジュールは、前記接着ローラの第１の移動速度と前記制限装置の第２の移動速度とを決定するように構成され、
前記接着ローラは、第１の方向に沿ってＴＰの一方の側から他方の側へ前記第１の移動速度で回転するように構成され、
前記制限装置は、第２の方向に沿って前記第２の移動速度で移動し、前記ＴＰがＬＣＤに対して移動することを制限するように構成されているシステム。
【請求項２】
前記制限装置は、
前記ＴＰが前記ＬＣＤに対して移動することを制限するように構成された制限部分と、
支持面を水平面に対して所定の角度で有する支持部分であって、前記ＬＣＤは前記支持面上に支持される支持部分と、を含み、
前記制限装置は、前記第２の方向に沿って前記第２の移動速度で移動して前記支持面と前記ＬＣＤとが前記所定の角度から水平になることを可能にする請求項１に記載のシステム。
【請求項３】
前記制御モジュールは、
前記所定の角度を収集するように構成された収集サブ・モジュールと、
前記所定の角度の正弦値に従って、前記接着ローラが前記第１の移動速度で移動するように、また前記制限装置が前記第２の移動速度で移動するように制御するように構成された速度制御サブ・モジュールと、を含む請求項２に記載のシステム。
【請求項４】
前記第１の移動速度と前記第２の移動速度とは、次式、
Ｖ２／Ｖ１＝ｓｉｎα
を満たし、
Ｖ１は前記第１の移動速度を表わし、Ｖ２は前記第２の移動速度を表わし、αは前記所定の角度を表わす、請求項３に記載のシステム。
【請求項５】
空気圧調整バルブであって、前記接着ローラの２つの軸端に力を印加して、前記接着ローラによって前記ＴＰに垂直な方向に沿って印加される力を、前記制御モジュールの制御下で調整するように構成された空気圧調整バルブをさらに含む請求項１〜４のいずれか一項に記載のシステム。
【請求項６】
接着を制御するための方法であって、
接着ローラの第１の移動速度と制限装置の第２の移動速度とを決定することと、
前記接着ローラを第１の方向に沿ってＴＰの一方の側から他方の側へ前記第１の移動速度で回転するように制御することと、
前記ＴＰがＬＣＤに対して移動することを制限装置によって制限し、前記制限装置を第２の方向に沿って前記第２の移動速度で移動するように制御することと、を含む方法。
【請求項７】
前記ＴＰがＬＣＤに対して移動することを制限装置によって制限し、前記制限装置を、第２の方向に沿って前記第２の移動速度で移動するように制御することは、
前記ＴＰが前記ＬＣＤに対して移動することを前記制限装置の制限部分によって制限することと、
前記制限装置を前記第２の方向に沿って前記第２の移動速度で移動するように制御することであって、前記制限装置は支持面を水平面に対して所定の角度で有し、前記ＬＣＤは前記支持面上に支持され、前記支持面と前記ＬＣＤとが前記所定の角度から水平になることを可能にする、制御することと、を含む請求項６に記載の方法。
【請求項８】
接着ローラの第１の移動速度と制限装置の第２の移動速度とを決定することは、前記所定の角度を収集することと、前記所定の角度の正弦値に従って、前記接着ローラを前記第１の移動速度で移動するように、また前記制限装置が前記第２の移動速度で移動するように制御することと、を含む請求項７に記載の方法。
【請求項９】
前記第１の移動速度と前記第２の移動速度とは、次式、
Ｖ２／Ｖ１＝ｓｉｎα
を満たし、
Ｖ１は前記第１の移動速度を表わし、Ｖ２は前記第２の移動速度を表わし、αは前記所定の角度を表わす、請求項８に記載のシステム。
【請求項１０】
前記接着ローラの２つの軸端に空気圧調整バルブによって力を印加することと、
前記接着ローラによって前記ＴＰに垂直な方向に沿って印加される力を調整することと、をさらに含む請求項６〜９のいずれか一項に記載の方法。
【請求項１１】
コンピュータ上で実行されたときに請求項１〜５のいずれか一項に記載の接着を制御するための方法を前記コンピュータに実行させるためのコンピュータ・プログラム。
【請求項１２】
請求項１１に記載のコンピュータ・プログラムが記憶されたコンピュータ可読記憶媒体。
【国際調査報告】
2017516249.tif 000009
2017516249.tif 000010
2017516249.tif 000011
2017516249.tif 000012